(57)【要約】【課題】データコンテンツサービスの高機能化に対応するＭＰＴやアプリケーションサービス記述子を提供することを目的とする。【解決手段】放送番組の映像信号と音声信号と、前記放送番組にアプリケーション機能を付与した制御情報とをＭＭＴ・ＴＬＶ方式で多重した放送信号送受信装置において、送信側は、前記放送信号を送信する送信手段と、前記放送信号に含まれる前記制御情報を設定する設定手段とを有し、前記設定手段は、前記アプリケーション機能のエントリー情報を設定する第２制御情報と、前記第２制御情報を１以上配置した第１制御情報とを含めて前記制御情報を生成し、受信側は前記放送信号を受信する受信手段と、前記第２制御情報のいずれかから所望の第２制御情報を取得する解析手段と、前記所望の第２制御情報を用いて前記アプリケーション機能を制御する制御手段と、を備える放送信号の送受信方法。【選択図】図１
2020010290.tif 000002
【特許請求の範囲】
【請求項１】
放送番組の映像信号と音声信号と、前記放送番組にアプリケーション機能を付与した制御情報とをＭＭＴ・ＴＬＶ方式で多重した放送信号の送受信装置において、
送信側は、
前記放送信号を送信するステップと、
前記放送信号に含まれる前記制御情報を設定するステップと、
を有し、
前記設定するステップは、前記アプリケーション機能のエントリー情報を設定する第２制御情報と、前記第２制御情報を１以上配置した第１制御情報とを含めて前記制御情報を生成し、
受信側は、
前記放送信号を受信するステップと、
前記放送信号に含まれる前記制御情報から前記第１制御情報および前記第２制御情報を解析し、１以上の前記第２制御情報のいずれかから所望の第２制御情報を取得するステップと、
前記所望の第２制御情報の前記エントリー情報を用いて、前記アプリケーション機能を制御するステップと、
を有する放送信号の送受信方法。
【請求項２】
前記制御情報は、ＴＬＶパケットまたはＭＭＴの制御情報である、請求項１に記載の放送信号の送受信方法。
【請求項３】
前記取得するステップは、前記第１制御情報に配置されている前記第２制御情報の順番により前記所望の第２制御情報を決定する、請求項１に記載の放送信号の送受信方法。
【請求項４】
前記第１制御情報は、ＭＰＴである、請求項１に記載の放送信号の送受信方法。
【請求項５】
前記第２制御情報は、アプリケーションサービス記述子である、請求項１に記載の放送信号の送受信方法。
【請求項６】
前記取得するステップは、前記アプリケーションサービス記述子のapplication_formatフィールドの値により前記所望の第２制御情報を決定する、請求項５に記載の放送信号の送受信方法。
【請求項７】
前記取得するステップは、前記アプリケーションサービス記述子のdocument_resolutionフィールドの値により前記所望の第２制御情報を決定する、請求項５に記載の放送信号の送受信方法。
【発明の詳細な説明】
【技術分野】
【０００１】
本発明の実施形態は、放送信号の送受信方法に関する。
【背景技術】
【０００２】
高度ＢＳデジタル放送および高度広帯域ＣＳデジタル放送におけるマルチメディアサービスとは、字幕サービス、文字スーパーサービス、データコンテンツサービスの総称であり、非特許文献１および非特許文献２の運用規定に従って行われる。
マルチメディアサービスの１つであるデータコンテンツサービスとは、映像・音声による放送サービスに、ＨＴＭＬ等のアプリケーション機能を同時に提供する放送サービスの１つである。
【０００３】
データコンテンツサービスは、放送信号に含まれる制御情報の１つであるのＭＰＴ(MMT Package Table)の中にアプリケーションサービス記述子を配置することで、当該放送信号の番組にデータコンテンツサービスが付加されていることを示す。アプリケーションサービス記述子は、サービスに関連するアプリケーションのエントリー情報等を記述する記述子である。
【先行技術文献】
【非特許文献】
【０００４】
【非特許文献１】「デジタル放送におけるＭＭＴによるメディアトランスポート方式  標準規格」  ARIB STD-B60 1.12版  2018年4月12日改定、一般社団法人  電波産業会
【非特許文献２】「高度広帯域衛星デジタル放送運用規定  技術資料」  ARIB TR-B39 1.7版  2018年4月12日改定、一般社団法人  電波産業会
【発明の概要】
【発明が解決しようとする課題】
【０００５】
アプリケーションサービス記述子は、非特許文献２にあるようにデータコンテンツサービスが付随する放送サービスのＭＰＴのＭＰＴ記述子領域に、１つのみ必ず配置する運用になっている。
しかし将来、アプリケーションサービス記述子のフィールドの１つであるアプリケーションフォーマットのバージョンアップなどデータコンテンツサービスの高機能化が行われた場合、テレビジョン受信装置の能力に応じたデータコンテンツサービスを提供するためには、ＭＰＴのＭＰＴ記述子領域には、アプリケーションサービス記述子を複数配置することが考えられる。
【０００６】
そこで本発明の実施形態の放送信号の送受信装置は、データコンテンツサービスの高機能化に対応するＭＰＴやアプリケーションサービス記述子を提供することを目的とする。
【課題を解決するための手段】
【０００７】
本実施形態の放送信号送受信装置の送受信方法は、
放送番組の映像信号と音声信号と、前記放送番組にアプリケーション機能を付与した制御情報とをＭＭＴ・ＴＬＶ方式で多重した放送信号の送受信装置において、
送信側は、
前記放送信号を送信するステップと、
前記放送信号に含まれる前記制御情報を設定するステップと、
を有し、
前記設定するステップは、前記アプリケーション機能のエントリー情報を設定する第２制御情報と、前記第２制御情報を１以上配置した第１制御情報とを含めて前記制御情報を生成し、
受信側は、
前記放送信号を受信するステップと、
前記放送信号に含まれる前記制御情報から前記第１制御情報および前記第２制御情報を解析し、１以上の前記第２制御情報のいずれかから所望の第２制御情報を取得するステップと、
前記所望の第２制御情報の前記エントリー情報を用いて、前記アプリケーション機能を制御するステップと、
を有する放送信号の送受信方法。
である。
【図面の簡単な説明】
【０００８】
【図１】図１は、本発明の実施形態に係る放送信号送信装置、コンテンツサーバ、放送信号受信装置、通信ネットワークのシステム全体の構成例を示す図である。
【図２】図２は、放送信号送信装置の構成を概略的に示した図である。
【図３】図３は、放送信号受信装置の構成を概略的に示した図である。
【図４】図４は、ＭＰＴのシンタックスを表している図である。
【図５】図５は、アプリケーションサービス記述子のシンタックスを表している図である。
【図６Ａ】図６Ａは、非特許文献１および非特許文献２に規定されているアプリケーションサービス記述子のapplication_formatフィールドで規定されている設定可能な値、およびdocument_resolutionフィールドで規定されている設定可能な値を示す一覧である。
【図６Ｂ】図６Ｂは、拡張アプリケーションサービス記述子のapplication_formatフィールドで設定可能な値とdocument_resolutionフィールドで設定可能な値の例を示す一覧である。
【図７】図７は、放送信号送信装置の制御情報生成手段が生成した拡張ＭＰＴとその中に配置された拡張アプリケーションサービス記述子と、放送信号受信装置の制御情報解析手段が拡張ＭＰＴの中から取得した拡張アプリケーションサービス記述子との組み合わせの例を示した図である。
【図８】図８は、放送信号送信装置の制御情報生成手段が生成した拡張ＭＰＴとその中に配置された拡張アプリケーションサービス記述子と、放送信号受信装置の制御情報解析手段が拡張ＭＰＴの中から取得した拡張アプリケーションサービス記述子との組み合わせの他の例を示した図である。
【図９】図９は、放送信号送信装置の制御情報生成手段が生成した拡張ＭＰＴとその中に配置された拡張アプリケーションサービス記述子と、放送信号受信装置の制御情報解析手段が拡張ＭＰＴの中から取得した拡張アプリケーションサービス記述子との組み合わせの他の例を示した図である。
【発明を実施するための形態】
【０００９】
以下、実施の形態について図面を用いて説明する。
図１は、本発明の実施形態に係る放送信号送信装置（手段）１００、サーバ１２０、放送信号受信装置１４０、通信ネットワーク１８０のシステム全体の構成例を示す図である。
符号１００は、放送番組を放送する放送信号送信装置（放送局とも呼ぶ）であり、放送番組サーバ１０１および第１の基本機能１０２を備える。放送信号送出装置１００は、各放送事業者の番組を集約して通信衛星１５０にアップリンクする地上局であってもよい。
【００１０】
放送番組サーバ１０１は、放送局１００として放送する番組のデータ、番組の名称、放送日時、内容の説明等を予め保存しておくエリアである。放送番組サーバ１０１は、各放送事業者から送られてきた番組等のデータを保存するサーバであってもよい。
第１の基本機能１０２は、放送局１００の基本的な機能であり、放送する番組の映像データや音声データ等を符号化（エンコードとも言う）し、制御情報であるＳＩ(Signaling Information)信号を含めて多重化して放送信号として送出する機能を持つ。制御信号であるＳＩは、ＴＬＶ(Type Length Value)パケットまたはＭＭＴ(MPEG Media Transport)の制御信号である。また放送信号の多重化方式は、非特許文献１に記載のＭＭＴ・ＴＬＶ方式を準拠するものとする。
【００１１】
符号１２０は、データコンテンツサービスを行うためのコンテンツサーバである。放送信号受信装置１４０は、放送信号に含まれているＭＨ−ＡＩＴ(MH-Application Information Table)等のＳＩをもとに、データコンテンツサービスを実行するためにコンテンツサーバ１２０にアクセスし、必要なコンテンツをダウンロードする。
【００１２】
符号１４０はユーザの放送信号受信装置（手段）（テレビジョン受信装置と呼んでもよい）であり、第２の基本機能１４１、制御手段１４２を含む。また放送信号受信装置１４０は、周辺機器と接続するためのＩ／Ｆを介して、表示手段１６０やＨＤＤ（Hard Disk Drive）１６２等と接続可能である。
【００１３】
符号１４１は、第２の基本機能である。第２の基本機能１４１は、テレビジョン受信装置としての基本的な機能であり、放送局１００から送られてくる放送信号を受信し、放送信号に含まれる符号化された映像信号（映像ストリームとも呼ぶ）、符号化された音声信号（音声ストリームとも呼ぶ）、字幕データおよびＳＩ信号を分離し、映像信号および音声信号をデコードしたり、字幕データを受信したり、ＳＩ信号を解析したりする機能を持つ。
【００１４】
符号１４２は、放送信号受信装置１４０の全体的な動作を制御する制御手段である。また制御手段１４２は、テレビジョン受信装置１４０に接続されている周辺機器、例えば表示手段１６０、スピーカ１６１、テレビジョン受信装置１４０にバインドされているＨＤＤ（Hard Disk Drive）１６２、との接続やデータの送受信の管理も行う。
【００１５】
符号１６０は、第２の基本機能１４１で受信した放送信号に含まれる映像を表示する表示手段である。表示手段１６０は、第２の基本機能１４１で受信した放送信号に含まれる音声を出力するスピーカ１６１を内蔵していてもよい。なお、表示手段１６０に内蔵されているスピーカ１６１は、ＵＳＢ等のＩ／Ｆにより接続された外部のスピーカであってもよい。
【００１６】
図１の例では、表示手段１６０は、テレビジョン受信装置１４０と別体として記載しているが、テレビジョン受信装置１４０の１機能としてテレビジョン受信装置１４０と一体であってもよい。
図２は、放送信号送信装置（手段）１００の構成を概略的に示した図である。放送信号送信装置１００は、放送局サーバ１０１に蓄えられている放送番組を放送信号で送信するために、番組の映像データや音声データ等を符号化して放送信号して送出する。
【００１７】
符号２１０は、放送局サーバ１０１に蓄えられている番組のデータ放送用データを符号化（エンコードとも言う）するデータ放送エンコーダである。データ放送エンコーダ２１０は、放送する番組を放送局サーバ１０１から読み出すと、読み出した番組のデータ放送用データをエンコードする。
【００１８】
符号２１１は、放送局サーバ１０１に蓄えられている番組の映像データを符号化（エンコードとも言う）する映像エンコーダである。映像エンコーダ２１１は、放送する番組を放送局サーバ１０１から読み出すと、読み出した番組の映像データをエンコードする。
【００１９】
符号２１２は、放送局サーバ１０１に蓄えられている番組の音声データを符号化する音声エンコーダである。音声エンコーダ２１２は、放送する番組を放送局サーバ１０１から読み出すと、読み出した番組の音声データをエンコードする。
符号２１３は、放送局サーバ１０１に蓄えられている番組の字幕データを符号化する字幕エンコーダである。字幕エンコーダ２１３は、放送する番組を放送局サーバ１０１から読み出すと、読み出した番組の字幕データをエンコードする。
【００２０】
符号２１４は、ＴＬＶパケットおよびＭＭＴの制御情報を生成する制御情報生成手段である。非特許文献３に記載のように、ＴＬＶパケットの制御信号とは、ＩＰパケットの多重に関する制御情報（ＴＬＶ-ＳＩとも呼ばれる）であり、選局のための情報やＩＰアドレスとサービスの対応情報を提供する。またＭＭＴの制御情報とは、ＭＭＴのパッケージの構成や放送サービスに関連する制御情報（ＭＭＴ-ＳＩとも呼ばれる）である。制御情報生成手段は、映像エンコーダ２１１、音声エンコーダ２１２、字幕エンコーダ２１３がエンコード対象とした番組に関する制御情報を含むＴＬＶパケットおよびＭＭＴの制御情報の信号を生成する。
【００２１】
符号２１５は、データ放送エンコーダ２１０から出力されたエンコードされたデータ放送用データ、映像エンコーダ２１１から出力されたエンコードされた映像データ、音声エンコーダ２１２から出力されたエンコードされた音声データ、字幕エンコーダ２１３から出力されたエンコードされた字幕データを、ＣＡＳモジュール２１６と連携してスクランブルするスクランブラである。
【００２２】
符号２１６は、スクランブラ２１５がスクランブルする際に使用するキーを生成するＣＡＳモジュールである。
符号２１７は、データ放送エンコーダ２１０がデータ放送用データをエンコードすることで生成したデータ放送ストリーム、映像エンコーダ２１１が映像データをエンコードすることで生成した映像ストリーム、音声エンコーダ２１２が音声データをエンコードすることで生成した音声ストリーム、字幕エンコーダ２１３が字幕データをエンコードすることで生成した字幕ストリーム、制御情報生成手段２１４で生成された制御情報をＭＭＴ・ＴＬＶ方式で多重するマルチプレクサである。多重化手段２１７は、映像ストリーム、音声ストリーム、字幕ストリーム、ＴＬＶパケットおよびＭＭＴの制御情報を多重化したＴＬＶストリームを生成する。
【００２３】
符号２１８は、放送信号を放送信号として送出する送信手段である。送信手段２１８は、マルチプレクサ２１７が生成したＴＬＶストリームを、１６ＡＰＳＫなどの変調や誤り訂正符号化などの伝送路符号化処理を行い放送信号として送出する。
図３は、放送信号受信装置（手段）１４０の構成を概略的に示した図である。
【００２４】
放送信号受信装置１４０は、放送信号を受信する受信機能である第２の基本機能１４１と制御手段１４２を含む。
符号１４１は、第２の基本機能である。第２の基本機能１４１は、放送チューナ３０１、デマルチプレクサ３０２、デスクランブラ３０３、ＣＡＳモジュール３０４、データ放送エンジン３０５、映像デコーダ３０６、音声デコーダ３０７、字幕デコーダ３０８、制御情報解析手段３１０、データ放送エンジン３０９、ＧＵＩ３２０を含む。
【００２５】
符号３０１は、放送信号で送られてきた放送信号（ＴＬＶストリーム）を受信するチューナである。チューナ３０１で受信した放送信号は、デマルチプレクサ３０２に入力される。
デマルチプレクサ３０２は、多重化されているＴＬＶストリームを映像ストリーム、音声ストリーム、データ放送ストリーム、字幕ストリーム、制御情報に分離する。デマルチプレクサ３０４は、分離した映像ストリーム、音声ストリーム、データ放送ストリーム、字幕ストリームをデスクランブラ３０３に、制御情報であるＳＩ信号を制御情報解析手段３０９にそれぞれ入力する。
【００２６】
デスクランブラ３０３は、入力された映像ストリーム、音声ストリーム、データ放送ストリーム、字幕ストリームを、ＣＡＳモジュール３０４と連携してデスクランブルする。デスクランブラ３０３は、デスクランブルした映像ストリームを映像デコーダ３０６に、音声ストリームを音声デコーダ３０７に、データ放送ストリームをデータ放送エンジン３０５に、字幕ストリームを字幕デコーダ３０８にそれぞれ入力する。
【００２７】
ＣＡＳモジュール３０４は、デスクランブラ３０３でデスクランブルする際に使用するキーを生成する。
データ放送エンジン３０５は、入力されたデータ放送ストリームの受信処理を行い、合成器３２６に送る。合成器３２６に送れたデータ放送用のデータは、映像データ等と合成され、表示手段１６０に表示される。
【００２８】
映像デコーダ３０６は、入力された映像ストリームをデコードし、表示手段１６０に表示する信号を生成する。
音声デコーダ３０６は、入力された音声ストリームをデコードし、スピーカ１６１に出力する信号を生成する。
字幕デコーダ３０８は、字幕ストリームをデコードし、表示手段１６０に表示する信号を生成する。
【００２９】
デコードされた映像信号および字幕信号およびデータ放送用信号は、合成器３２６で合成され表示手段１６０に出力される。またデコードされた音声信号は、スピーカ１６１に出力される。
制御情報解析手段３１０は、放送信号の制御情報であるＳＩ信号の解析を行う。制御情報解析手段３１０は、ＳＩ信号の解析を行うと、その解析結果を制御手段１４２に送る。
【００３０】
符号１４２は、放送信号受信装置１４０の全体的な動作を制御する制御手段である。制御手段１４２は、通信ネットワークとのＩ／ＦであるネットワークＩ／Ｆ３３１および外部機器との接続Ｉ／Ｆである外部入力Ｉ／Ｆ３３２の制御も行う。
先に説明したように映像・音声による放送サービスに、ＨＴＭＬ等のアプリケーション機能を同時に提供するデータコンテンツサービスを行う場合、ＳＩ信号の１つであるＭＰＴ(MMT Package Table)にアプリケーションサービス記述子を必ず１つ配置することが非特許文献２に規定されている。
【００３１】
図４は、ＭＰＴのシンタックスを表している図である。
符号４０１に示すasset_descriptors_lengthのフィールドは、符号４０２に示すエリアのサイズを示している。
符号４０２に示すfor (j=0; j<M; j++) {asset_descriptors_byte}のフィールドは、記述子のデータが配置されるデータエリアである。記述子はデータエリアに、j=0からM−1までのM（Mは整数）個配置することが可能である。
【００３２】
非特許文献２の規定では、放送信号送信装置が映像・音声による放送サービスに、ＨＴＭＬ等のアプリケーション機能を同時に提供するデータコンテンツサービスを行う場合、ＭＰＴのデータエリア４０２に、アプリケーションサービス記述子を１つのみ必ず配置して放送信号として送信する。
【００３３】
放送信号受信装置は、受信した放送信号に含まれるＭＰＴに配置されているアプリケーションサービス記述子を認識した場合、送られてきた放送信号に、ＨＴＭＬ等のアプリケーション機能が同時に提供されていることを認識することができる。
しかしデータコンテンツサービスの高機能化が行われた場合、データコンテンツサービスにいろいろなバージョンが存在し、また放送信号受信装置のデータコンテンツサービスの各バージョンへの対応能力もまちまちとなることが想定される。
【００３４】
そこで本発明の実施形態の放送信号の送受信装置は、データコンテンツサービスの高機能化に対応する、拡張アプリケーションサービス記述子を生成する機能、および解析する機能を備える。また本発明の実施形態の放送信号の送受信装置は、ＭＰＴに複数の拡張アプリケーションサービス記述子を配置可能とする拡張ＭＰＴを生成する機能、および解析する機能を備える。
【００３５】
図５は、アプリケーションサービス記述子のシンタックスを表した図である。
符号５０１に示すapplication_formatは、データコンテンツサービスで使用されるアプリケーション符号化方式を示している。
符号５０２に示すdocument_resolutionは、デーコンテンツの解像度を示している。
【００３６】
図６Ａは、非特許文献１および非特許文献２に規定されているアプリケーションサービス記述子のapplication_formatフィールドで規定されている設定可能な値、およびdocument_resolutionフィールドで規定されている設定可能な値を示す一覧である。application_formatフィールドで規定されている設定可能な値は“０ｘ１”（ＡＲＩＢ−ＨＴＭＬ５）だけである。またdocument_resolutionフィールドで規定されている設定可能な値は、“００００”(1920x1080)、“０００１”(3840x2160)、“００１０”(7680x4320)である。
【００３７】
図６Ｂは、拡張アプリケーションサービス記述子のapplication_formatフィールドで設定可能な値とdocument_resolutionフィールドで設定可能な値の例を示す一覧である。
図６Ｂに示す拡張アプリケーションサービス記述子のapplication_formatフィールドに設定可能な値の例は、アプリケーションサービス記述子のapplication_formatフィールドで規定されている設定可能な値に、例えば“０ｘ２”（ＨＴＭＬ−Ａ）、“０ｘ３”（ＨＴＭＬ−Ｂ）を追加した例である。ここで、ＨＴＭＬ−ＡとＨＴＭＬ−Ｂは、現状非特許文献１および非特許文献２で規定されているアプリケーション符号化方式であるＨＴＭＬ−５に対して、新たに規定されたアプリケーション符号化方式であるものとする。
【００３８】
また拡張アプリケーションサービス記述子のdocument_resolutionフィールドに設定可能な値の例は、アプリケーションサービス記述子のdocument_resolutionフィールドで規定されている設定可能な値に、例えば００１１(11520ｘ6480)を追加した例である。
【００３９】
このように拡張アプリケーションサービス記述子は、アプリケーションサービス記述子に対して、application_formatフィールドに設定可能な値を拡張したもの、あるいはdocument_resolutionフィールドに設定可能な値を拡張したものである。拡張アプリケーションサービス記述子は、アプリケーションサービス記述子に対して、application_formatフィールドあるいはdocument_resolutionフィールド以外の他のフィールドにおいても、設定可能な値を拡張してもよい。
【００４０】
また拡張ＭＰＴは、ＭＰＴに対して、図４の符号４０２に示す記述子のデータを配置エリアに、図６Ｂで定義された拡張アプリケーションサービス記述子を配置する数を、１つだけでなく複数まで拡張したものである。
このように本発明の実施形態の放送信号の送受信装置は、拡張アプリケーションサービス記述子および拡張ＭＰＴを生成する機能解析する機能を有し、これによりデータコンテンツサービスの高機能化に対応（例えば、新たな（より高度な）サービスに対応した受信装置は新たな（より高度な）サービスに対応し、従来のサービスのみに対応した受信装置は従来のサービスに対応する等）することが可能となる。
【００４１】
以下本発明の実施形態の放送信号の送受信装置が生成する拡張アプリケーションサービス記述子および拡張ＭＰＴの具体的な例、ならびに解析する拡張アプリケーションサービス記述子および拡張ＭＰＴの具体的な例を示す。
図７は、放送信号送信装置１００の制御情報生成手段２１４が生成した拡張ＭＰＴとその中に配置された拡張アプリケーションサービス記述子と、放送信号受信装置１４０の制御情報解析手段３１０が拡張ＭＰＴの中から取得した拡張アプリケーションサービス記述子との組み合わせの例を示した図である。
【００４２】
図７（Ａ−１）は、放送信号送信装置１００の制御情報生成手段２１４が、拡張アプリケーションサービス記述子（ＡＳ−１）７０２を１つ配置した拡張ＭＰＴ７０１を生成した例を示している。
また図７（Ａ−２）は、放送信号受信装置１４０の制御情報解析手段３１０が、受信した拡張ＭＰＴ７０１に配置された拡張アプリケーションサービス記述子（ＡＳ−１）７０２を、所望の拡張アプリケーションサービス記述子として取得した例を示している。
【００４３】
符号７０１は、放送信号送信装置１００の制御情報生成手段２１４が生成した拡張ＭＰＴを示している。
符号７０２は、制御情報生成手段２１４が、拡張ＭＰＴに配置した拡張アプリケーションサービス記述子を示している。括弧内の２つの数値のうち左側の数値７０３−１は、制御情報生成手段２１４が拡張アプリケーションサービス記述子のapplication_formatフィールドに設定した値である“０ｘ１”、右側の数値７０３−２は、制御情報生成手段２１４が拡張アプリケーションサービス記述子のdocument_resolutionフィールドに設定した値である“０００１”を示している。なお括弧内の２つの数値の意味は、以下の拡張アプリケーションサービス記述子の説明においても同様とする。
【００４４】
放送信号送信装置１００は、拡張アプリケーションサービス記述子（ＡＳ−１）７０２を配置した拡張ＭＰＴ７０１を含む制御情報を放送信号に多重して、放送信号受信装置１４０に送出する。
放送信号受信装置１４０は、受信した放送信号に含まれる制御情報の中の拡張ＭＰＴおよび拡張アプリケーションサービス記述子を解析し、条件を満たす拡張アプリケーションサービス記述子を、所望の拡張アプリケーションサービス記述子として取得する。
【００４５】
図７（Ａ−２）の例は、放送信号受信装置１４０の制御情報解析手段３１０が、拡張ＭＰＴ７０１を解析し、配置されている拡張アプリケーションサービス記述子（ＡＳ−１）７０２の各フィールドの値を解析した結果、拡張アプリケーションサービス記述子（ＡＳ−１）７０２を、所望の拡張アプリケーションサービス記述子として取得した場合の例を示している。
【００４６】
制御情報解析手段３１０は、例えば拡張アプリケーションサービス記述子（ＡＳ−１）７０２のapplication_formatフィールドに設定された値を判定することで、所望の拡張アプリケーションサービス記述子と判定してもよい、あるいはdocument_resolutionフィールドに設定された値を判定することで、所望の拡張アプリケーションサービス記述子と判定してもよい、あるいはapplication_formatフィールドに設定された値とdocument_resolutionフィールドに設定された値の両方を判定することで、所望の拡張アプリケーションサービス記述子と判定してもよい。
【００４７】
具体的には例えば、制御情報解析手段３１０は、拡張アプリケーションサービス記述子（ＡＳ−１）７０２のapplication_formatフィールドに設定された値が“０ｘ１”の場合に、所望の拡張アプリケーションサービス記述子と判定してもよい、あるいはdocument_resolutionフィールドに設定された値が“０００１”の場合に、所望の拡張アプリケーションサービス記述子と判定してもよい、あるいはapplication_formatフィールドに設定された値が“０ｘ１”でありdocument_resolutionフィールドに設定された値が“０００１”である場合に、所望の拡張アプリケーションサービス記述子と判定してもよい。
【００４８】
図７（Ｂ−１）は、放送信号送信装置１００の制御情報生成手段２１４が、拡張アプリケーションサービス記述子（ＡＳ−１）７１２を１つ配置した拡張ＭＰＴ７１１を生成した他の例を示している。
また図７（Ｂ−２）は、放送信号受信装置１４０の制御情報解析手段３１０が、受信した拡張ＭＰＴ７１１に配置された拡張アプリケーションサービス記述子（ＡＳ−１）７１２を、所望の拡張アプリケーションサービス記述子として取得しない例を示している。
【００４９】
符号７１１は、放送信号送信装置１００の制御情報生成手段２１４が生成した拡張ＭＰＴを示している。
符号７１２は、制御情報生成手段２１４が、拡張ＭＰＴに配置した拡張アプリケーションサービス記述子を示している。
放送信号送信装置１００は、拡張アプリケーションサービス記述子（ＡＳ−１）７１２を配置した拡張ＭＰＴ７１１を含む制御情報を放送信号に多重して、放送信号受信装置１４０に送出する。
【００５０】
放送信号受信装置１４０は、受信した放送信号に含まれる制御情報の中の拡張ＭＰＴおよび拡張アプリケーションサービス記述子を解析し、条件を満たす拡張アプリケーションサービス記述子を、所望の拡張アプリケーションサービス記述子として取得する。
【００５１】
図７（Ｂ−２）の例は、放送信号受信装置１４０の制御情報解析手段３１０が、拡張ＭＰＴ７１１を解析し、配置されている拡張アプリケーションサービス記述子（ＡＳ−１）７１２の各フィールドの値を解析した結果、拡張アプリケーションサービス記述子（ＡＳ−１）７１２を、所望の拡張アプリケーションサービス記述子として取得しない場合の例を示している。
【００５２】
制御情報解析手段３１０は、例えば拡張アプリケーションサービス記述子（ＡＳ−１）のapplication_formatフィールドに設定された値を判定することで、所望の拡張アプリケーションサービス記述子でないと判定した例である。
具体的には例えば、制御情報解析手段３１０は、拡張アプリケーションサービス記述子（ＡＳ−１）のapplication_formatフィールドに設定された値が“０ｘ１”以外の場合は、所望の拡張アプリケーションサービス記述子でないと判定してもよい、あるいはdocument_resolutionフィールドに設定された値が“００００”以外の場合に、所望の拡張アプリケーションサービス記述子でないと判定してもよい、あるいはapplication_formatフィールドに設定された値が“０ｘ１”でありdocument_resolutionフィールドに設定された値が“００００”である組み合わせの場合以外は、所望の拡張アプリケーションサービス記述子でないと判定してもよい。
【００５３】
拡張アプリケーションサービス記述子（ＡＳ−１）７１２を所望の拡張アプリケーションサービス記述子でないと判定した制御情報解析手段３１０は、受信した放送信号に含まれる拡張ＭＰＴの中に拡張アプリケーションサービス記述子が配置されていない、と判断する。つまり放送信号受信装置１４０は、受信した放送信号にはデータコンテンツサービスが提供されていないと判断することができる。
【００５４】
図８は、放送信号送信装置１００の制御情報生成手段２１４が生成した拡張ＭＰＴとその中に配置された拡張アプリケーションサービス記述子と、放送信号受信装置１４０の制御情報解析手段３１０が拡張ＭＰＴの中から取得した拡張アプリケーションサービス記述子との組み合わせの他の例を示した図である。
【００５５】
図８（Ａ−１）は、放送信号送信装置１００の制御情報生成手段２１４が、拡張アプリケーションサービス記述子（ＡＳ−１）８０２−１と拡張アプリケーションサービス記述子（ＡＳ−２）８０２−２の２つを配置した拡張ＭＰＴ８０１を生成した例を示している。
【００５６】
また図８（Ａ−２）は、放送信号受信装置１４０の制御情報解析手段３１０が、受信した拡張ＭＰＴ８０１に配置された拡張アプリケーションサービス記述子（ＡＳ−１）８０２−１を、所望の拡張アプリケーションサービス記述子として取得した例を示している。
【００５７】
符号８０１は、放送信号送信装置１００の制御情報生成手段２１４が生成した拡張ＭＰＴを示している。
符号８０２−１、８０２−２は、制御情報生成手段２１４が、拡張ＭＰＴに配置した２つの拡張アプリケーションサービス記述子を示している。括弧内の２つの数値は図７の場合と同様である。
【００５８】
放送信号送信装置１００は、拡張アプリケーションサービス記述子（ＡＳ−１）８０２−１および拡張アプリケーションサービス記述子（ＡＳ−２）８０２−２を配置した拡張ＭＰＴ８０１を含む制御情報を放送信号に多重して、放送信号受信装置１４０に送出する。
【００５９】
放送信号受信装置１４０は、受信した放送信号に含まれる制御情報の中の拡張ＭＰＴおよび拡張アプリケーションサービス記述子を解析し、条件を満たす拡張アプリケーションサービス記述子を、所望の拡張アプリケーションサービス記述子として取得する。
【００６０】
図８（Ａ−２）の例は、放送信号受信装置１４０の制御情報解析手段３１０が、拡張ＭＰＴ８０１を解析し、配置されている２つの拡張アプリケーションサービス記述子８０２−１、８０２−２を、図４の４０２に示す記述子のデータが配置されるデータエリアに配置されている順番に解析した結果、拡張アプリケーションサービス記述子（ＡＳ−１）８０２−１を、所望の拡張アプリケーションサービス記述子として取得した場合の例を示している。
【００６１】
制御情報解析手段３１０は、例えば拡張アプリケーションサービス記述子（ＡＳ−１）８０２−１、拡張アプリケーションサービス記述子（ＡＳ−２）８０２−２のapplication_formatフィールドに設定された値を判定することで、所望の拡張アプリケーションサービス記述子と判定してもよい、あるいはdocument_resolutionフィールドに設定された値を判定することで、所望の拡張アプリケーションサービス記述子と判定してもよい、あるいはapplication_formatフィールドに設定された値とdocument_resolutionフィールドに設定された値の両方を判定することで、所望の拡張アプリケーションサービス記述子と判定してもよい。
【００６２】
さらに制御情報解析手段３１０は、拡張ＭＰＴ８０１に配置されている拡張アプリケーションサービス記述子（ＡＳ−１）８０２−１、拡張アプリケーションサービス記述子（ＡＳ−２）８０２−２の配置の順序を、所望の拡張アプリケーションサービス記述子を取得する際に判定してもよい。
【００６３】
具体的には例えば、制御情報解析手段３１０は、拡張アプリケーションサービス記述子（ＡＳ−１）８０２−１、拡張アプリケーションサービス記述子（ＡＳ−２）８０２−２のapplication_formatフィールドに設定された値が“０ｘ１”である拡張アプリケーションサービス記述子のうち最初に配置された拡張アプリケーションサービス記述子（ＡＳ−１）８０２−１を、所望の拡張アプリケーションサービス記述子と判定してもよい、あるいはdocument_resolutionフィールドに設定された値が“０００１”である拡張アプリケーションサービス記述子のうち最初に配置された拡張アプリケーションサービス記述子（ＡＳ−１）８０２−１を、所望の拡張アプリケーションサービス記述子と判定してもよい、あるいはapplication_formatフィールドに設定された値が“０ｘ１”でありdocument_resolutionフィールドに設定された値が“０００１”である拡張アプリケーションサービス記述子のうち最初に配置された拡張アプリケーションサービス記述子（ＡＳ−１）８０２−１を、所望の拡張アプリケーションサービス記述子と判定してもよい。
【００６４】
制御情報解析手段３１０が判定する、拡張ＭＴＰに配置された拡張アプリケーションサービス記述子の順序は、最初だけでなく、例えば最後であってもよい。例えば制御情報解析手段３１０は、拡張アプリケーションサービス記述子（ＡＳ−１）８０２−１、拡張アプリケーションサービス記述子（ＡＳ−２）８０２−２のapplication_formatフィールドに設定された値が“０ｘ１”でありdocument_resolutionフィールドに設定された値が“０００１”である拡張アプリケーションサービス記述子のうち最後に配置された拡張アプリケーションサービス記述子（ＡＳ−１）８０２−１を、所望の拡張アプリケーションサービス記述子と判定してもよい。
【００６５】
図８（Ｂ−１）は、放送信号送信装置１００の制御情報生成手段２１４が、拡張アプリケーションサービス記述子（ＡＳ−１）８１２−１と拡張アプリケーションサービス記述子（ＡＳ−２）８１２−２の２つを配置した拡張ＭＰＴ８１１を生成した他の例を示している。
【００６６】
また図８（Ｂ−２）は、放送信号受信装置１４０の制御情報解析手段３１０が、受信した拡張ＭＰＴ８１１に配置された拡張アプリケーションサービス記述子（ＡＳ−２）８１２−２を、所望の拡張アプリケーションサービスとして取得した例を示している。
【００６７】
符号８１１は、放送信号送信装置１００の制御情報生成手段２１４が生成した拡張ＭＰＴを示している。
符号８１２−１、８１２−２は、制御情報生成手段２１４が、拡張ＭＰＴに配置した２つの拡張アプリケーションサービス記述子を示している。
放送信号送信装置１００は、拡張アプリケーションサービス記述子（ＡＳ−１）８１２−１および拡張アプリケーションサービス記述子（ＡＳ−２）８１２−２を配置した拡張ＭＰＴ８１１を含む制御情報を放送信号に多重して、放送信号受信装置１４０に送出する。
【００６８】
放送信号受信装置１４０は、受信した放送信号に含まれる制御情報の中の拡張ＭＰＴおよび拡張アプリケーションサービス記述子を解析し、条件を満たす拡張アプリケーションサービス記述子を、所望の拡張アプリケーションサービス記述子として取得する。
【００６９】
図８（Ｂ−２）の例は、放送信号受信装置１４０の制御情報解析手段３１０が、拡張ＭＰＴ８１１を解析し、配置されている２つの拡張アプリケーションサービス記述子８１２−１、８１２−２を、図４の４０２に示した記述子のデータが配置されるデータエリアに配置されている順番に解析した結果、拡張アプリケーションサービス記述子（ＡＳ−２）８１２−２を、所望の拡張アプリケーションサービス記述子として取得した場合の例を示している。
【００７０】
具体的には例えば、制御情報解析手段３１０は、拡張アプリケーションサービス記述子（ＡＳ−１）８１２−１、拡張アプリケーションサービス記述子（ＡＳ−２）８１２−２のdocument_resolutionフィールドに設定された値が“０００１”である拡張アプリケーションサービス記述子のうち最初に配置された拡張アプリケーションサービス記述子（ＡＳ−２）８１２−２を、所望の拡張アプリケーションサービス記述子と判定してもよい。
【００７１】
図８（Ｃ−１）は、放送信号送信装置１００の制御情報生成手段２１４が、拡張アプリケーションサービス記述子（ＡＳ−１）８２２−１と拡張アプリケーションサービス記述子（ＡＳ−２）８２２−２の２つを配置した拡張ＭＰＴ８２１を生成した他の例を示している。
【００７２】
また図８（Ｃ−２）は、放送信号受信装置１４０の制御情報解析手段３１０が、受信した拡張ＭＰＴ８２１に配置された拡張アプリケーションサービス記述子（ＡＳ−１）８２２−１、拡張アプリケーションサービス記述子（ＡＳ−２）８２２−２のいずれも、所望の拡張アプリケーションサービスとして取得しない場合の例を示している。
【００７３】
符号８２１は、放送信号送信装置１００の制御情報生成手段２１４が生成した拡張ＭＰＴを示している。
符号８２２−１、８２２−２は、制御情報生成手段２１４が、拡張ＭＰＴに配置した拡張アプリケーションサービス記述子を示している。
放送信号送信装置１００は、拡張アプリケーションサービス記述子（ＡＳ−１）８２２−１および拡張アプリケーションサービス記述子（ＡＳ−２）８２２−２を配置した拡張ＭＰＴ８２１を含む制御情報を放送信号に多重して、放送信号受信装置１４０に送出する。
【００７４】
放送信号受信装置１４０は、受信した放送信号に含まれる制御情報の中の拡張ＭＰＴおよび拡張アプリケーションサービス記述子を解析し、条件を満たす拡張アプリケーションサービス記述子を、所望の拡張アプリケーションサービス記述子として取得する。
【００７５】
図８（Ｃ−２）の例は、放送信号受信装置１４０の制御情報解析手段３１０が、拡張ＭＰＴ８２１を解析し拡張ＭＰＴ８２１に配置されている２つの拡張アプリケーションサービス記述子８２２−１、８２２−２を、図４の４０２に示した記述子のデータが配置されるデータエリアに配置されている順番に解析した結果、いずれの拡張アプリケーションサービス記述子を、所望の拡張アプリケーションサービス記述子として取得しない場合の例を示している。
【００７６】
具体的には例えば、制御情報解析手段３１０は、拡張アプリケーションサービス記述子のapplication_formatフィールドに“０ｘ１”、document_resolutionフィールドに“００００”が設定されている場合に、所望の拡張アプリケーションサービス記述子と判定し、それ以外の設定値組み合わせをもつ拡張アプリケーションサービス記述子を、所望の拡張アプリケーションサービス記述子でないと判定してもよい。
【００７７】
このように制御情報解析手段３１０は、拡張ＭＰＴに複数の拡張アプリケーションサービス記述子が配置されている場合、図４の４０２に示した記述子のデータが配置されるデータエリアに配置されている順番に解析を行い、予め決められた条件に合う拡張アプリケーションサービス記述子が出現するまで、くり返し解析を行い、所望の拡張アプリケーションサービス記述子を取得することができる。
【００７８】
図８の例は、拡張ＭＰＴに配置する複数の拡張アプリケーションサービス記述子のdocument_resolutionフィールドの値が異なる場合の例であるが、拡張ＭＰＴに配置する複数の拡張アプリケーションサービス記述子のapplication_formatフィールドの値が異なっていてもよい。
【００７９】
図９は、放送信号送信装置１００の制御情報生成手段２１４が生成した拡張ＭＰＴとその中に配置される拡張アプリケーションサービス記述子と、放送信号受信装置１４０の制御情報解析手段３１０が拡張ＭＰＴの中から取得した拡張アプリケーションサービス記述子との組み合わせの他の例を示した図である。
【００８０】
図９（Ａ−１）は、放送信号送信装置１００の制御情報生成手段２１４が、拡張アプリケーションサービス記述子（ＡＳ−１）９０２−１と拡張アプリケーションサービス記述子（ＡＳ−２）９０２−２の２つを配置した拡張ＭＰＴ９０１を生成した例を示している。
【００８１】
また図９（Ａ−２）は、放送信号受信装置１４０の制御情報解析手段３１０が、受信した拡張ＭＰＴ９０１に配置された拡張アプリケーションサービス記述子（ＡＳ−１）９０２−１を、所望の拡張アプリケーションサービスとして取得した例を示している。
【００８２】
符号９０１は、放送信号送信装置１００の制御情報生成手段２１４が生成した拡張ＭＰＴを示している。
符号９０２−１、９０２−２は、制御情報生成手段２１４が、拡張ＭＰＴに配置した２つの拡張アプリケーションサービス記述子を示している。
放送信号送信装置１００は、拡張アプリケーションサービス記述子（ＡＳ−１）９０２−１および拡張アプリケーションサービス記述子（ＡＳ−２）９０２−２を配置した拡張ＭＰＴ９０１を含む制御情報を放送信号に多重して、放送信号受信装置１４０に送出する。
【００８３】
放送信号受信装置１４０は、受信した放送信号に含まれる制御情報の中の拡張ＭＰＴおよび拡張アプリケーションサービス記述子を解析し、条件を満たす拡張アプリケーションサービス記述子を、所望の拡張アプリケーションサービス記述子として取得する。
【００８４】
図９（Ａ−２）の例は、放送信号受信装置１４０の制御情報解析手段３１０が、拡張ＭＰＴ９０１を解析し、配置されている２つの拡張アプリケーションサービス記述子９０２−１，９０２−２を、図４の４０２に示した記述子のデータが配置されるデータエリアに配置されている順番に解析した結果、拡張アプリケーションサービス記述子（ＡＳ−１）９０２−１を、所望の拡張アプリケーションサービス記述子として取得した場合の例を示している。
【００８５】
具体的には例えば、制御情報解析手段３１０は、拡張アプリケーションサービス記述子（ＡＳ−１）９０２−１、拡張アプリケーションサービス記述子（ＡＳ−２）９０２−２のapplication_formatフィールドに設定された値が“０ｘ１”である拡張アプリケーションサービス記述子のうち最初に配置された拡張アプリケーションサービス記述子（ＡＳ−１）９０２−１を、所望の拡張アプリケーションサービス記述子と判定してもよい、あるいはdocument_resolutionフィールドに設定された値が“０００１”である拡張アプリケーションサービス記述子のうち最初に配置された拡張アプリケーションサービス記述子（ＡＳ−１）９０２−１を、所望の拡張アプリケーションサービス記述子と判定してもよい、あるいはapplication_formatフィールドに設定された値が“０ｘ１”でありdocument_resolutionフィールドに設定された値が“０００１”である拡張アプリケーションサービス記述子のうち最初に配置された拡張アプリケーションサービス記述子（ＡＳ−１）９０２−１を、所望の拡張アプリケーションサービス記述子と判定してもよい。
【００８６】
制御情報解析手段３１０が判定する、拡張ＭＴＰに配置された拡張アプリケーションサービス記述子の順序は、最初だけでなく、例えば最後であってもよい。例えば制御情報解析手段３１０は、拡張アプリケーションサービス記述子（ＡＳ−１）９０２−１、拡張アプリケーションサービス記述子（ＡＳ−２）９０２−２のapplication_formatフィールドに設定された値が“０ｘ１”でありdocument_resolutionフィールドに設定された値が“０００１”である拡張アプリケーションサービス記述子のうち最後に配置された拡張アプリケーションサービス記述子（ＡＳ−１）９０２−１を、所望の拡張アプリケーションサービス記述子と判定してもよい。
【００８７】
図９（Ｂ−１）は、放送信号送信装置１００の制御情報生成手段２１４が、拡張アプリケーションサービス記述子（ＡＳ−１）９１２−１と拡張アプリケーションサービス記述子（ＡＳ−２）９１２−２の２つを配置した拡張ＭＰＴ９１１を生成した他の例を示している。
【００８８】
また図９（Ｂ−２）は、放送信号受信装置１４０の制御情報解析手段３１０が、受信した拡張ＭＰＴ９１１に配置された拡張アプリケーションサービス記述子（ＡＳ−２）９１２−２を、所望の拡張アプリケーションサービスとして取得した例を示している。
【００８９】
符号９１１は、放送信号送信装置１００の制御情報生成手段２１４が生成した拡張ＭＰＴを示している。
符号９１２−１、９１２−２は、制御情報生成手段２１４が、拡張ＭＰＴに配置した２つの拡張アプリケーションサービス記述子を示している。
放送信号送信装置１００は、拡張アプリケーションサービス記述子（ＡＳ−１）９１２−１および拡張アプリケーションサービス記述子（ＡＳ−２）９１２−２を配置した拡張ＭＰＴ９１１を含む制御情報を放送信号に多重して、放送信号受信装置１４０に送出する。
【００９０】
放送信号受信装置１４０は、受信した放送信号に含まれる制御情報の拡張ＭＰＴおよび拡張アプリケーションサービス記述子を解析し、条件を満たす拡張アプリケーションサービス記述子を、所望の拡張アプリケーションサービス記述子として取得する。
図９（Ｂ−２）の例は、放送信号受信装置１４０の制御情報解析手段３１０が、拡張ＭＰＴ９１１を解析し、配置されている２つの拡張アプリケーションサービス記述子９１２−１，９１２−２を、図４の４０２に示した記述子のデータが配置されるデータエリアに配置されている順番に解析した結果、拡張アプリケーションサービス記述子（ＡＳ−２）９１２−２を所望の拡張アプリケーションサービス記述子として取得した場合の例を示している。
【００９１】
具体的には例えば、制御情報解析手段３１０は、拡張アプリケーションサービス記述子（ＡＳ−１）８１２−１、拡張アプリケーションサービス記述子（ＡＳ−２）８１２−２のapplication_formatフィールドに設定された値が“０ｘ１”である拡張アプリケーションサービス記述子のうち最初に配置された拡張アプリケーションサービス記述子（ＡＳ−２）８１２−２を、所望の拡張アプリケーションサービス記述子と判定してもよい。
【００９２】
図９（Ｃ−１）は、放送信号送信装置１００の制御情報生成手段２１４が、拡張アプリケーションサービス記述子（ＡＳ−１）９２２−１と拡張アプリケーションサービス記述子（ＡＳ−２）９２２−２の２つを配置した拡張ＭＰＴ９２１を生成した他の例を示している。
【００９３】
また図９（Ｃ−２）は、放送信号受信装置１４０の制御情報解析手段３１０が、受信した拡張ＭＰＴに配置された拡張アプリケーションサービス記述子（ＡＳ−１）８２２−１、拡張アプリケーションサービス記述子（ＡＳ−２）８２２−２のいずれも、所望の拡張アプリケーションサービスとして取得しない場合の例を示している。
【００９４】
符号９２１は、放送信号送信装置１００の制御情報生成手段２１４が生成した拡張ＭＰＴを示している。
符号９２２−１、９２２−２は、制御情報生成手段２１４が、拡張ＭＰＴに配置した拡張アプリケーションサービス記述子を示している。
放送信号送信装置１００は、拡張アプリケーションサービス記述子（ＡＳ−１）９２２−１および拡張アプリケーションサービス記述子（ＡＳ−２）９２２−２を配置した拡張ＭＰＴ９２１を含む制御情報を放送信号に多重して、放送信号受信装置１４０に送出する。
【００９５】
放送信号受信装置１４０は、受信した放送信号に含まれる制御情報を解析し条件を満たす場合は、拡張ＭＰＴ９２１に含まれている拡張アプリケーションサービス記述子（ＡＳ−１）９２２−１あるいは拡張アプリケーションサービス記述子（ＡＳ−２）９２２−２のいずれかを、所望の拡張アプリケーションサービス記述子として取得する。
【００９６】
図９（Ｃ−２）の例は、放送信号受信装置１４０の制御情報解析手段３１０が、拡張ＭＰＴを解析し、配置されている２つの拡張アプリケーションサービス記述子のいずれもが、所望の拡張アプリケーションサービス記述子として取得しない場合の例を示している。
【００９７】
図９（Ｃ−２）の例は、放送信号受信装置１４０の制御情報解析手段３１０が、拡張ＭＰＴ９２１を解析し拡張ＭＰＴ９２１に配置されている２つの拡張アプリケーションサービス記述子９２２−１、９２２−２を、図４の４０２に示した記述子のデータが配置されるデータエリアに配置されている順番に解析した結果、いずれの拡張アプリケーションサービス記述子を、所望の拡張アプリケーションサービス記述子として取得しない場合の例を示している。
【００９８】
具体的には例えば、制御情報解析手段３１０は、拡張アプリケーションサービス記述子のapplication_formatフィールドに“０ｘ１”、document_resolutionフィールドに“００００”が設定されている場合に、所望の拡張アプリケーションサービス記述子と判定し、それ以外の設定値組み合わせをもつ拡張アプリケーションサービス記述子を、所望の拡張アプリケーションサービス記述子でないと判定してもよい。
【００９９】
放送信号送信装置１００の制御情報生成手段２１４は、拡張ＭＰＴに拡張アプリケーションサービス記述子を複数配置する場合、その配置の順序は任意に決めることができる。
例えば非特許文献２に記載のapplication_formatフィールドの記載の値である、“０ｘ１”（ＡＲＩＢ−ＨＴＭＬ５）が設定されている拡張アプリケーションサービス記述子は、記述子データの配置エリア４０２の先頭に配置してもよい。このような拡張アプリケーションサービス記述子の配置の順序にすることで、アプリケーション符号化方式としてＡＲＩＢ−ＨＴＭＬ５のみをサポートする放送信号受信装置において、確実にデータコンテンツサービスを提供することが可能となる。
【０１００】
また例えば非特許文献２に記載のapplication_formatフィールドの記載の値である、“０ｘ１”（ＡＲＩＢ−ＨＴＭＬ５）が設定されている拡張アプリケーションサービス記述子は、記述子データの配置エリア４０２に１つだけ配置するようにしてもよい。あるいはまた、“０ｘ１”（ＡＲＩＢ−ＨＴＭＬ５）が設定されている拡張アプリケーションサービス記述子は、記述子データの配置エリア４０２の先頭に１つだけ配置するようにしてもよい。このようなapplication_formatフィールドに設定された値により拡張アプリケーションサービス記述子の配置の数や順序を決める等、特定のフィールドの値に応じて配置の数や順序を決めてもよい。このようにすることで、データコンテンツサービスに対して、放送信号受信装置各々が持つ種々の対応能力にも適用可能、拡張ＭＴＰおよび拡張アプリケーションｎサービス記述子の提供が可能となる。
【０１０１】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【０１０２】
１００・・・放送信号送信装置、１２０・・・サーバ、１４０・・・放送信号受信装置。
【図１】
2020010290.tif 000003
【図２】
2020010290.tif 000004
【図３】
2020010290.tif 000005
【図４】
2020010290.tif 000006
【図５】
2020010290.tif 000007
【図６Ａ】
2020010290.tif 000008
【図６Ｂ】
2020010290.tif 000009
【図７】
2020010290.tif 000010
【図８】
2020010290.tif 000011
【図９】
2020010290.tif 000012